(57)【要約】      （修正有）【課題】一つの装身具でありながら指輪としても使用できると共にペンダントトップとしても使用できるペンダントトップ兼用指輪を提供する。【解決手段】ペンダントトップ兼用指輪１０は、指輪本体１２と、ペンダントトップ体１４と、を有している。指輪本体１２には連結用突起１８が突設形成され、連結用突起１８には指輪本体ピン挿入孔２２が貫通形成されている。指輪本体１２には連結用突起１８を挟んで一対の押圧スライド体２４がスライド可能に設けられている。指輪本体１２の台座１６にはペンダントトップ体ピン挿入孔、ペンダントトップ体ピン先端部収容孔が形成されている。ペンダントトップ体ピン挿入孔には指輪本体１２とペンダントトップ体１４を連結する連結ピン３８がスライド可能に挿入されている。台座１６にはチェーン挿通孔が形成されている。【選択図】図２
0003202244.tif 000002
【実用新案登録請求の範囲】
【請求項１】
指輪本体と、前記指輪本体に着脱可能に取り付けられるペンダントトップ体と、を備えてなるペンダントトップ兼用指輪であって、
前記指輪本体に突設された連結用突起と、前記連結用突起に貫通形成された指輪本体ピン挿入孔と、前記指輪本体に前記連結用突起を挟んでスライド可能に対抗して設けられた一対の押圧スライド体と、前記押圧スライド体に連続形成された突出部及びガイド部と、前記指輪本体に形成されると共に前記押圧スライド体のガイド部がスライド可能に収容されるガイド部収容溝と、前記ガイド部収容溝に収容されると共に前記押圧スライド体を前記連結用突起方向に付勢するスプリングと、
前記ペンダントトップ体の台座の底面に開口形成されると共に前記連結用突起を挿入できる連結用突起挿入開口部と、前記台座の台座正面部に貫通形成されたペンダントトップ体ピン挿入孔と、前記台座に台座正面部と対抗して形成された台座背面部と、前記指輪本体ピン挿入孔及び前記ペンダントトップ体ピン挿入孔にスライド可能に挿入されて前記指輪本体と前記ペンダントトップ体を連結する連結ピンと、前記台座に形成された複数のチェーン挿通孔と、を有してなることを特徴とするペンダントトップ兼用指輪。
【請求項２】
指輪本体と、前記指輪本体に着脱可能に取り付けられるペンダントトップ体と、を備えてなるペンダントトップ兼用指輪であって、
前記指輪本体に突設された連結用突起と、前記連結用突起に貫通形成された指輪本体ピン挿入孔と、前記指輪本体に前記連結用突起を挟んで指輪本体の周方向にスライド可能に対抗して設けられた一対の押圧スライド体と、前記押圧スライド体に連続形成された突出部及びガイド部と、前記指輪本体に形成されると共に前記押圧スライド体のガイド部がスライド可能に収容されるガイド部収容溝と、前記ガイド部収容溝に収容されると共に前記押圧スライド体を前記連結用突起方向に付勢するスプリングと、
前記ペンダントトップ体の台座の底面に開口形成されると共に前記連結用突起を挿入できる連結用突起挿入開口部と、前記台座の台座正面部に貫通形成されたペンダントトップ体ピン挿入孔と、前記台座に台座正面部と対抗して形成された台座背面部と、前記台座背面部に形成されると共に前記ペンダントトップ体ピン挿入孔と同軸上に形成されたペンダントトップ体ピン先端部収容孔と、前記指輪本体ピン挿入孔及び前記ペンダントトップ体ピン挿入孔にスライド可能に挿入されて前記指輪本体と前記ペンダントトップ体を連結する連結ピンと、前記連結ピンのピン中間部に長さ方向に沿って形成された抜止防止長孔と、前記台座に形成されると共に前記抜止防止長孔に挿入されて前記連結ピンが抜けるのを防止する連結ピン抜止防止突起と、前記台座に形成されると共に対抗して形成された台座第１傾斜側面部及び台座第２傾斜側面部と、前記台座に形成された複数のチェーン挿通孔と、を有してなることを特徴とするペンダントトップ兼用指輪。
【請求項３】
前記連結用突起、前記押圧スライド体の突出部、前記ペンダントトップ体の台座に貴石を取り付けたことを特徴とする請求項１または請求項２のいずれか１項記載のペンダントトップ兼用指輪。
【考案の詳細な説明】
【技術分野】
【０００１】
本考案は、装身具に関し、詳しくは指輪として使用することができるだけでなく、ペンダントトップとしても使用することができるペンダントトップ兼用指輪に関する。
【背景技術】
【０００２】
従来から身に着ける装身具として指輪やペンダントトップが広く知られると共に広く使用されている。
しかし、従来の指輪は指輪としてのみ使用され、従来のペンダントトップはペンダントトップとしてのみ使用される構造であるため、一つの装身具で指輪とペンダントトップの両方に使用することは困難である。
そこで、一つの装身具でありながら指輪とペンダントトップとして使用できるペンダントトップ兼用指輪が提案されている（例えば特許文献１）。
【先行技術文献】
【特許文献】
【０００３】
【特許文献１】実開平６−３１５１０号公報図２
【考案の概要】
【考案が解決しようとする課題】
【０００４】
このペンダントトップ兼用指輪は、一つの装身具でありながら指輪として使用できると共に指輪本体からペンダントトップ体を取り外して、ペンダントトップ体にチェーンを付けることによりペンダントトップとしても使用することができる。
しかし、このペンダントトップ兼用指輪は指輪本体からペンダントトップ体を取り外すとペンダントトップ体を取り付けていた指輪本体のペンダントトップ体を取り付ける部分がそのままの状態で露出してしまい指輪本体の外観品質が低下するという不具合がある。
このため、ペンダントトップ兼用指輪のペンダントトップ体をペンダントトップとして使用する場合には不都合はないが、指輪本体を指輪として使用する場合は外観品質が低下してしまい指輪としての価値が低下するという不具合がある。
本考案は、上記事実に鑑みなされたものであり、一つの装身具でありながら指輪としても使用できると共にペンダントトップとしても使用できることは勿論、外観品質を低下させないで指輪とペンダントトップの両方を同時に使用することができるペンダントトップ兼用指輪を提供するものである。
【課題を解決するための手段】
【０００５】
請求項１の考案は、指輪本体と、前記指輪本体に着脱可能に取り付けられるペンダントトップ体と、を備えてなるペンダントトップ兼用指輪であって、
前記指輪本体に突設された連結用突起と、前記連結用突起に貫通形成された指輪本体ピン挿入孔と、前記指輪本体に前記連結用突起を挟んでスライド可能に対抗して設けられた一対の押圧スライド体と、前記押圧スライド体に連続形成された突出部及びガイド部と、前記指輪本体に形成されると共に前記押圧スライド体のガイド部がスライド可能に収容されるガイド部収容溝と、前記ガイド部収容溝に収容されると共に前記押圧スライド体を前記連結用突起方向に付勢するスプリングと、
前記ペンダントトップ体の台座の底面に開口形成されると共に前記連結用突起を挿入できる連結用突起挿入開口部と、前記台座の台座正面部に貫通形成されたペンダントトップ体ピン挿入孔と、前記台座に台座正面部と対抗して形成された台座背面部と、前記指輪本体ピン挿入孔及び前記ペンダントトップ体ピン挿入孔にスライド可能に挿入されて前記指輪本体と前記ペンダントトップ体を連結する連結ピンと、前記台座に形成された複数のチェーン挿通孔と、を有してなることを特徴としている。
請求項２の考案は、指輪本体と、前記指輪本体に着脱可能に取り付けられるペンダントトップ体と、を備えてなるペンダントトップ兼用指輪であって、
前記指輪本体に突設された連結用突起と、前記連結用突起に貫通形成された指輪本体ピン挿入孔と、前記指輪本体に前記連結用突起を挟んで指輪本体の周方向にスライド可能に対抗して設けられた一対の押圧スライド体と、前記押圧スライド体に連続形成された突出部及びガイド部と、前記指輪本体に形成されると共に前記押圧スライド体のガイド部がスライド可能に収容されるガイド部収容溝と、前記ガイド部収容溝に収容されると共に前記押圧スライド体を前記連結用突起方向に付勢するスプリングと、
前記ペンダントトップ体の台座の底面に開口形成されると共に前記連結用突起を挿入できる連結用突起挿入開口部と、前記台座の台座正面部に貫通形成されたペンダントトップ体ピン挿入孔と、前記台座に台座正面部と対抗して形成された台座背面部と、前記台座背面部に形成されると共に前記ペンダントトップ体ピン挿入孔と同軸上に形成されたペンダントトップ体ピン先端部収容孔と、前記指輪本体ピン挿入孔及び前記ペンダントトップ体ピン挿入孔にスライド可能に挿入されて前記指輪本体と前記ペンダントトップ体を連結する連結ピンと、前記連結ピンのピン中間部に長さ方向に沿って形成された抜止防止長孔と、前記台座に形成されると共に前記抜止防止長孔に挿入されて前記連結ピンが抜けるのを防止する連結ピン抜止防止突起と、前記台座に形成されると共に対抗して形成された台座第１傾斜側面部及び台座第２傾斜側面部と、前記台座に形成された複数のチェーン挿通孔と、を有してなることを特徴としている。
請求項３の考案は、前記連結用突起、前記押圧スライド体の突出部、前記ペンダントトップ体の台座に貴石を取り付けたことを特徴としている。
【考案の効果】
【０００６】
本考案は、外観品質を低下させないで指輪本体を指輪として使用することができると共にペンダントトップとしても使用することができるという優れた効果を有する。
本考案は、指輪本体からペンダントトップ体を取り外しても押圧スライド体がペンダントトップ体を取り付けていた指輪本体の部分を覆うので指輪本体の外観品質が低下せず、これにより指輪本体も外観品質を低下させないで指輪として使用できるという優れた効果を有する。
【図面の簡単な説明】
【０００７】
【図１】実施例のペンダントトップ兼用指輪の全体斜視図である。
【図２】実施例のペンダントトップ兼用指輪の縦断面図である。
【図３】実施例のペンダントトップ兼用指輪の指輪本体の平面図である。
【図４】実施例のペンダントトップ兼用指輪の指輪本体の縦断面図である。
【図５】実施例のペンダントトップ兼用指輪のペンダントトップ体の正面図である。
【図６】実施例のペンダントトップ兼用指輪のペンダントトップ体の底面図である。
【図７】実施例のペンダントトップ兼用指輪のペンダントトップ体をペンダントトップとして使用する場合の正面図である。
【考案を実施するための形態】
【０００８】
考案を実施するために最良の形態の例として以下のような実施例を示す。
【実施例１】
【０００９】
図１〜図７には本考案に係るペンダントトップ兼用指輪の一実施例が示されている。
図１及び図２に示されるように、このペンダントトップ兼用指輪１０は、リング状に形成された指輪本体１２と、この指輪本体１２に着脱可能に取り付けられるペンダントトップ体１４と、を有している。前記指輪本体１２には指挿通孔１２Ａが形成されている。
この実施例では前記指輪本体１２とペンダントトップ体１４の台座１６は貴金属のプラチナで形成されている。
【００１０】
図２及び図４に示されるように、前記指輪本体１２の上面には連結用突起１８が突設形成されている。
図３に示されるように、前記連結用突起１８の上面には貴石２０としてのダイヤモンドが埋め込まれた状態で取り付けられている。
【００１１】
図４に示されるように、前記連結用突起１８には指輪本体ピン挿入孔２２が貫通形成されている。
前記指輪本体１２には前記連結用突起１８を挟んで一対の押圧スライド体２４，２４が対向して設けられている。これら押圧スライド体２４，２４は指輪本体１２の周方向（図４矢印Ａ方向，Ｂ方向）に沿ってスライド可能に設けられている。
前記押圧スライド体２４には突出部２６とガイド部２８が連続して一体形成されている。
【００１２】
図１及び図３に示されるように、前記突出部２６の上面には貴石２０としてのダイヤモンドが埋め込まれた状態で取り付けられている。
【００１３】
図２及び図４に示されるように、前記押圧スライド体２４のガイド部２８は前記指輪本体１２に形成されたガイド部収容溝３０にスライド可能な状態で収容されている。
また、このガイド部収容溝３０にはスプリングとしてのコイルスプリング３２が収容され、このコイルスプリング３２が前記押圧スライド体２４，２４を連結用突起１８方向（図２及び図４矢印Ａ方向）に常時付勢している。
【００１４】
図５には前記ペンダントトップ体１４が示されている。このペンダントトップ体１４の台座１６の上面中央には貴石２０として大きなダイヤモンドが突出状態で１個取り付けられている。
また、図１に示されるように、前記台座１６の上面の周縁部には前記大きなダイヤモンドを囲むように貴石２０として小さいダイヤモンドが複数個取り付けられている。
【００１５】
図６に示されるように、前記台座１６の台座底面部１６Ａには連結用突起１８を挿入できる連結用突起挿入開口部３３が開口形成されている。
【００１６】
前記台座１６の台座正面部３４にはペンダントトップ体ピン挿入孔３４Ａが貫通形成されている。また、台座１６には台座正面部３４と対抗して台座背面部３６が形成されている。
この台座背面部３６の内側面にはペンダントトップ体ピン先端部収容孔３６Ａが形成されている。
【００１７】
前記ペンダントトップ体ピン挿入孔３４Ａと前記ペンダントトップピン先端部収容孔３６Ａは同軸上に形成されている。
【００１８】
前記ペンダントトップ体ピン挿入孔３４Ａには前記指輪本体１２と前記ペンダントトップ体１４を連結する連結ピン３８が図６矢印Ｃ、矢印Ｄ方向にスライド可能に挿入されている。
【００１９】
この連結ピン３８のピン摘み部３８Ａは台座正面部３４の外側に露出するようになっている。また、連結ピン３８のピン先端部３８Ｂは前記ペンダントトップピン先端部収容孔３６Ａに収容可能になっている。
【００２０】
図２に示されるように、前記連結ピン３８のピン中間部３８Ｃには長さ方向に抜止防止長孔３９が形成されている。この抜止防止長孔３９には台座１６に設けられた連結ピン抜止防止突起１６Ｂ（図６参照）が挿入され連結ピン３８がペンダントトップ体１４から抜け出て脱落しないようになっている。
【００２１】
図５及び図６に示されるように、前記台座１６の台座正面部３４と台座背面部３６との間には台座第１傾斜側面部４０と台座第２傾斜側面部４２が対向して形成されている。
【００２２】
図５に示されるように、前記台座正面部３４と前記台座第１傾斜側面部４０の間、前記台座正面部３４と前記台座第２傾斜側面部４２の間、前記台座背面部３６と前記台座第１傾斜側面部４０の間、前記台座背面部３６と前記台座第２傾斜側面部４２の間、にはチェーン挿通孔４４が形成されている。
なお、図５には前記台座正面部３４と前記台座第１傾斜側面部４０の間、前記台座正面部３４と前記台座第２傾斜側面部４２の間に形成されているチェーン挿通孔４４のみを示す。
【００２３】
従って、図７に示されるように、前記ペンダントトップ体１４をペンダントトップとして使用する場合は、別途に用意したチェーン５０を前記チェーン挿通孔４４，４４に挿通することによりペンダントトップ体１４を首から下げてペンダントトップとして使用することができる。
【００２４】
次に、実施例のペンダントトップ兼用指輪１０の作用について説明する。
【００２５】
実施例のペンダントトップ兼用指輪１０を指輪として使用する場合は、図１に示されるように指輪本体１２にペンダントトップ体１４を取り付けた状態で使用する。
これによりペンダントトップ兼用指輪１０は、指輪本体１２とペンダントトップ体１４の組み合わせからなるので、前記押圧スライド体２４の突出部２６の上面に取り付けられたダイヤモンド、ペンダントトップ体１４の台座１６の上面に取り付けられたダイヤモンドの存在によって一段とゴージャスな指輪として使用することができると共に見る者にゴージャスな印象を与えることができる。
【００２６】
次に、実施例のペンダントトップ兼用指輪１０のペンダントトップ体１４をペンダントトップと指輪として使用する場合を説明する。
【００２７】
ペンダントトップ体１４をペンダントトップとして使用する場合はペンダントトップ兼用指輪１０の連結ピン３８のピン摘み部３８Ａを摘まんで図１矢印方向Ｄ方向に強く引っ張り、連結ピン３８を指輪本体１２の連結用突起１８の指輪本体ピン挿入孔２２から抜く。
これにより、連結ピン３８を介して連結されていた指輪本体１２とペンダントトップ体１４の連結が解除される。
【００２８】
しかも、押圧スライド体２４と押圧スライド体２４は、スプリングコイル３２によって常時ペンダントトップ体１４の台座第１傾斜側面部４０と台座第２傾斜側面部４２を付勢しているので、連結ピン３８が外れたペンダントトップ体１４は押圧スライド体２４、押圧スライド体２４に押されて図１矢印Ｅ方向に浮き上がるため容易にペンダントトップ体１４を指輪本体１２から取り外すことができる
【００２９】
そして、別途に用意したチェーン５０をペンダントトップ体１４のチェーン挿通孔４４，４４に挿通することにより、図７に示されるようにペンダントトップ体１４を首から下げてペンダントトップとして使用することができる。
【００３０】
また、ペンダントトップ体１４を外した指輪本体１２は指挿通孔１２Ａに指を入れることにより指輪として使用することができる。
しかも、指輪本体１２はペンダントトップ体１４を取り外すと押圧スライド体２４，２４はコイルスプリング３２によって図矢印Ａ方向にスライドして押圧スライド体２４と押圧スライド体２４が連結用突起１８を挟む位置にスライドする。
【００３１】
このため、図３に示されるように、ペンダントトップ体１４が取り付けられていた部分は押圧スライド体２４と押圧スライド体２４に覆われるため、ペンダントトップ体１４を取り外しても指輪本体１２の外観品質が低下しない。
しかも、指輪本体１２の連結用突起１８の上面、押圧スライド体２４，２４の突出部２６の上面には貴石２０としてのダイヤモンドが取り付けられているので、外観品質が低下することはない。
この結果、指輪本体１２を指輪として使用しても外観品質が低下しないで使用することができる。
【００３２】
なお、指輪本体１２にペンダントトップ体１４を取り付ける場合はペンダントトップ体１４の連結ピン３８を図矢印Ｄ方向に引いておいてからペンダントトップ体１４の台座第１傾斜側面部４０と台座第２傾斜側面部４２を指輪本体１２の押圧スライド体２４と押圧スライド体２４に対応させてペンダントトップ体１４を指輪本体１２に図矢印Ｆ方向に押し付ける。
これにより、押圧スライド体２４と押圧スライド体２４は台座第１傾斜側面部４０と台座第２傾斜側面部４２に押されてコイルスプリング３２の付勢力に抗して図矢印Ｂ方向にスライドする。
【００３３】
そして、台座１６のペンダントトップ体ピン挿入孔３４Ａ、ペンダントトップ体ピン先端部収容孔３６Ａと指輪本体１２の指輪本体ピン挿入孔２２が対応したら連結ピン３８を図矢印Ｃ方向に押し込んで、連結ピン３８を指輪本体ピン挿入孔２２、ペンダントトップ体ピン先端部収容孔３６Ａに挿入する。
これにより、指輪本体１２とペンダントトップ体１４は連結ピン３８により連結される。
【００３４】
なお、実施例では貴石２０としてダイヤモンドを示したが、貴石２０はダイヤモンドに限定されるものでなくエメラルド、ルビー等他の貴石でもよいことは勿論である。
【００３５】
また、実施例では指輪本体１２及びペンダントトップ体１４にダイヤモンド等の貴石２０を取り付けた場合を示したが、指輪本体１２及びペンダントトップ体１４に取り付けられる貴石２０の数は実施例に限定されるものでなく、取り付けられる貴石２０の数は実施例よりも多くても少なくてもよいことは勿論である。
また、前記指輪本体１２及びペンダントトップ体１４に貴石２０を取り付けなくてもよい。
【００３６】
なお、実施例では指輪本体１２とペンダントトップ体１４の台座１６をプラチナで形成した場合を示したが、これに限定されるものでなく他の貴金属や金属又は他の材料で形成してもよいことは勿論である。
【符号の説明】
【００３７】
１０    ペンダントトップ兼用指輪
１２    指輪本体
１４    ペンダントトップ体
１６    台座
１６Ａ  台座底面部
１６Ｂ  連結ピン抜止防止突起
１８    連結用突起
２０    貴石
２２    指輪本体ピン挿入孔
２４    押圧スライド体
２６    突出部
２８    ガイド部
３０    ガイド部収容溝
３２    コイルスプリング
３３    連結用突起挿入開口部  
３４    台座正面部
３４Ａ  ペンダントトップ体ピン挿入孔
３６    台座背面部
３６Ａ  ペンダントトップ体ピン先端部収容孔
３８    連結ピン
３８Ａ  ピン摘み部
３８Ｂ  ピン先端部
３８Ｃ  ピン中間部
３９    抜止防止長孔
４０    台座第１傾斜側面部
４２    台座第２傾斜側面部
４４    チェーン挿通孔
【図１】
0003202244.tif 000003
【図２】
0003202244.tif 000004
【図３】
0003202244.tif 000005
【図４】
0003202244.tif 000006
【図５】
0003202244.tif 000007
【図６】
0003202244.tif 000008
【図７】
0003202244.tif 000009